(57)【要約】【課題】    屋根葺した屋根板と野地板との間に空間部を形成し、外気温度の変化により外気を前記空間部に流通させて棟部から外気に排出し、屋根裏の温度を下げる。【解決手段】それぞれアルミ押出成形材により同一断面形状に形成された幅方向が長尺な複数の屋根板と、前記屋根板を野地板上にそれぞれ固定する複数の足高吊子と、屋根の棟部分に取付ける換気棟枠と、先端に設けた外気取入部に形成した複数の通気口を開閉可能にするスライド板を、形状記憶合金材により形成した変位ばねを内蔵した換気装置の可動軸と連結して形成した軒先板枠とからなり、前記各屋根材を使用して屋根葺をすることにより、屋根板と野地板との間に空間部を形成し、屋根板裏側の気温が高くなると、軒先板枠に取付けた換気装置が作用して通気口を開口させ、外気を屋根板の裏側に設けた空間部から換気棟枠の排気路に流通させて大気中に排気して空気を循環させることを特徴とする。【選択図】  図１
2013007153.tif 000002
【特許請求の範囲】
【請求項１】
裏面に断熱シート４を取付けた平坦部（３）の軒側端部を下方に折曲げて軒側係合部（５）を形成し、前記平坦部（３）の棟側端部を上方に折り曲げて棟側連結部（１０）をそれぞれ一体に形成したアルミ押出成形材からなる屋根板（２）と、
中央を山形に形成した棟部（１７）の両側に設けた壁面板（１８）の下端を内側に折り返して設けた係止受部（１９）に、屋根の棟部分に一定間隔で複数取付ける棟枠固定片（２１）の両側に左右対称に形成した門形の棟止部（２３）の両側に設けた掛止部（２４）を嵌合固着したアルミ押出形成材からなる換気棟枠（１６）と、
座部（２６）の両端を垂下して設けた脚部（２７）の下端を折曲げて基部（２８）を形成し、前記座部（２６）の棟側に設けた立上部（２９）の上方を軒側に鉤形に折り曲げて棟受部（３０）を形成し、前記座部（２６）の軒側先端に屋根板（２）の棟側下端を係止させる屋根受部（３１）を設けたアルミ押出成形材からなる複数の足高吊子片（２５）と、
板状に形成した軒先基板（３４）の軒側に外側板部（３５）と内側板部（３６）を並行に垂下させ、前記外側板部（３５）と内側板部（３６）との間に設けた外気取入部（３７）の幅方向に複数の通気口（３８）を形成し、前記外気取入部（３７）の上面短尺方向に鉤形の保持爪部（４１）を対向して設け、該保持爪部に前記通気口（３８）と合致する位置にそれぞれ換気口（４３）を設けたスライド板（４２）を摺動可能に取付けて形成したアルミ押出成形材からなる軒先板枠（３３）と、
外気温度の変化により作用する形状記憶合金製の変位ばね（５２、８５、９６）を内蔵した換気装置（５０、８０、９０）を前記軒先板枠３３の外気取入部（３７）に取付けると共に、該換気装置の可動軸（５３、８２、９２）の先端とスライド板（４）を連結し、前記変位ばね（５２、８５、９６）の伸縮により可動軸（５３、８２、９２）とスライド板（４２）を摺動させて通気口（３８）を開閉可能に形成してなり、軒先固定片（Ｓ）に、前記換気装置（５０、８０、９０）を設けた軒先板枠（３３）を取付け、該軒先板枠に屋根板（２ａ）の軒側を連結し、該屋根板の棟側に複数の足高吊子片（２５）をそれぞれ連結して基部（２８）を野地板（Ｔ）にそれぞれ固着し、次の屋根板（２ｂ）の軒側を前記足高吊子片（２５）に係止した屋根板（２ａ）の棟側に連結する操作を繰返して棟側方向に順次連結し、棟付近に位置した屋根板（２ｅ）の棟側を、前記棟枠固定片（２１）の棟止部（２３）内に止めてから棟枠固定片（２１）をそれぞれ棟に取付け、該棟枠固定片に前記換気棟枠（１６）を被せて嵌合固着して屋根葺をすることにより、各屋根板（２）と野地板（Ｔ）との間に連続して空間部（Ｘ）を形成し、外気温度の変化により前記軒先板枠（３３）に取付けた換気装置（５０、８０、９０）が作用して通気口（３８）を開口させて外気を空間部（Ｘ）から換気棟枠（１６）の排気路（Ｗ）を通って大気中に排出させる流通路を設けたことを特徴とする換気機能を備えた横葺屋根装置。
【請求項２】
第１換気装置（５０）は、第１可動軸（５３）に形状記憶合金製の変位ばね（５２）を挿通して軸支した第１ばね受枠（５１）と第２可動軸（５３）に弾発ばね（５７）を挿通して軸支した第２ばね受枠（５６）とからなり、前記第１ばね受枠（５１）を第１軒先板枠（３３）の外気取入部（３７）の一端に取付け、第２ばね受枠（５６）を外気取入部（３７）の他端に取付け、前記ばね受枠（５１、５６）にそれぞれ軸支した第１、２可動軸（５３、５８）の先端連結頭部（５４、５９）を、前記スライド板（４２）の両端に取付けた連結片（４５、４５）をそれぞれ連結してなり、外気温度が所定温度以上になると前記変位ばね（５２）が伸びて第１可動軸（５３）とスライド板（４２）を第２ばね受枠（５６）方向に摺動させて換気口（４３）と通気口（３８）を合致させて開口し、外気温度が所定温度以下になると、前記変位ばね（５２）が収縮して弾発ばね（５７）の弾発力で第２可動軸（５３）とスライド板（４２）を第１ばね受枠（５１）方向に摺動させて前記通気口（３８）を閉口することを特徴とする請求項１記載の換気機能を備えた横葺屋根装置。
【請求項３】
第２換気装置（８０）は、中央に仕切板（８３）を固着した可動軸（８２）の一方に形状記憶合金製の変位ばね（８５）を挿通し、他方に弾発ばね（８６）を挿通して軸受基枠（８１）に軸支して形成し、該第２換気装置を前記第１軒先板枠（３３）に設けた外気取入部（３７）の一端に固定し、軸受基枠（８１）の一端から突出させた可動軸（８２）の先端係止頭部（８４）を、スライド板（４２）の一端に設けた連結片（４５）に連結してなり、前記第２換気装置（８０）に取付けた変位ばね（８５）が所定の外気温度に達すると、変位ばね（８５）が伸びて可動軸（８２）とスライド板（４２）を弾発ばね（８６）方向に摺動させて換気口（４３）と通気口（３８）を合致させて開口し、外気温度が所定温度以下になると、変位ばね（８５）が収縮して弾発ばね（８６）の弾発力で可動軸（８２）とスライド板（４２）を変位ばね（８５）方向に摺動して通気口（３８）を閉口可能に形成したことを特徴とする請求項１記載の換気機能を備えた横葺屋根装置。
【請求項４】
第３換気装置（９０）は、ばね受基枠（９１）の中央に摺動可能に位置した可動軸（９２）の一側に位置した形状記憶合金製の変位ばね（９６）の一端を、前記可動軸（９２）の長手方向一端に設けた第１ばね止部（９５ａ）に取付け、他端を前記ばね受基枠（９１）の反対側に設けた係止ピン（９８ａ）に取付けて付勢させ、前記可動軸（９２）の反対側に位置した弾発ばね（９７）の一端を、前記第１ばね止部（９５ａ）と反対側に設けた第２ばね止部（９５ｂ）に取付け、他端を前記ばね受基枠（９１）の反対側に軸支した係止ピン（９８ｂ）に取付けて弾発させて形成し、前記ばね受基枠（９１）を外気取入部（３７）の上面任意箇所に取付けると共に、前記可動軸（９２）の下面中央で垂直方向に設けた連結軸（９４）を前記スライド板（４２）に連結してなり、前記第３換気装置（９０）を構成する変位ばね（９６）が所定の外気温度以上になって伸びると、連結軸（９４）を介して可動軸（９２）とスライド板（４２）が摺動して換気口（４３）と通気口（３８）とを合致させて開口し、外気温度が所定温度以下になると、変位ばね（９６）が収縮し、弾発ばね（９７）の弾発力により連結軸（９４）を介して可動軸（９２）とスライド板（４２）が反対方向に摺動して通気口（３８）を閉口可能に形成したことを特徴とする請求項１記載の換気機能を備えた横葺屋根装置。
【請求項５】
水平に形成した軒先基板（６２）の軒側に外側板部（６３）と内側板部（６４）を並行に垂下させ、前記外側板部（６３）と内側板部（６４）との間に設けた外気取入部（６５）の幅方向に短冊状に形成した複数の通気口（６６ａ）と複数のガイド孔（６９ａ、６９ｂ）を幅方向に形成し、前記通気口（６６ａ）と合致する位置にそれぞれ換気口（７１）を有した幅方向を長尺にした第２スライド板（７０）を前記外気取入部（６５）の下面側に摺動可能に取付け、前記ガイド孔（６９ｂ）に吊下軸（７８）の上端を挿通係止し、下端を第２スライド板（７０）に軸支して形成したアルミ押出成形材からなる第２軒先板枠（６１）と、前記第２軒先板枠（６１）の外気取入部（６５）の一端に前記第２換気装置（８０）を固定し、該第２換気装置の軸受基枠（８１）の一端から突出させた可動軸（８２）の係止頭部（８４）と連結させた連結片（７３）と前記外気取入部（６５）の下面に位置した第２スライド板（７０）の一端とをガイド孔（６９ａ）を介して連結軸（７７）で連結してなり、前記第２換気装置（８０）に取付けた変位ばね（８５）が所定の外気温度に達すると、変位ばね（８５）が伸びて弾発ばね（８６）方向に摺動して可動軸（８２）の先端に取付けた連結片（７３）を介して第２スライド板（７０）を摺動させて換気口（７１）と通気口（６６ａ）を合致させて開口し、外気温度が所定温度以下になると、変位ばね（８５）が収縮して弾発ばね（８６）の弾発力で可動軸（８２）を変位ばね（８５）方向に摺動させると、連結片（７３）が第２スライド板（７０）を摺動させて通気口（６６ａ）を閉口可能に形成したことを特徴とする請求項１記載の換気機能を備えた横葺屋根装置。
【請求項６】
前記換気装置（５０、８０、９０）を構成する形状記憶合金製の変位ばね（５２、８５、９６）がそれぞれ作用する外気温度は、好ましくは、摂氏１７度以上で伸び、摂氏７度以下になると収縮することを特徴とする請求項１ないし５のいずれか１記載の換気機能を備えた横葺屋根装置。
【請求項７】
裏面に断熱シート（４）を取付けた平坦部（３）の軒側端部を下方に折曲げて軒側係合部（５）と前記平坦部（３）の棟側端部を上方に折り曲げて棟側連結部（１０）を一体に設けたアルミ押出成形材からなる屋根板（２）と、
中央を山形に形成した棟部（１７）の両側に設けた壁面板（１８）の下端を内側に折り返して設けた係止受部（１９）に、屋根の棟部分に一定間隔で複数取付ける棟枠固定片（２１）の両側で左右対称に形成した門形の棟止部（２３）の両側に設けた掛止部（２４）を嵌合固着したアルミ押出形成材からなる換気棟枠（１６）と、
座部（２６）の両端を垂下して設けた脚部（２７）の下端を折曲げて基部（２８）を形成し、前記座部（２６）の棟側に設けた立上部（２９）の上方を軒側に鉤形に折曲げて棟受部（３０）を形成し、前記座部（２６）の軒側先端に屋根板（２）の棟側下端を係止させる屋根受部（３１）を設けたアルミ押出成形材からなる複数の足高吊子片（２５）と、
板状に形成した軒先基板（６２）の軒側に外側板部（６３）と内側板部（６４）を並行に垂下させ、前記外側板部（６３）と内側板部（６４）との間に設けた外気取入部（６５）の幅方向に複数の通気口（６６ｂ）を設け、該通気口に防虫網（Ｍ）を取付けたアルミ押出成形材からなる第２軒先板枠（６１）と、
前記第２軒先板枠（６１）の各通気口（６６ｂ）に、所定の外気温度で変形する、例えば形状記憶合金製の板材により形成した開閉板（１０４）の長手方向または短尺方向の縁部をビス、ねじまたは溶接などの固定具（１０５）で固着した第４換気装置（１０３）をそれぞれ取付けてなり、
軒先固定片（Ｓ）に、前記第２換気装置（１０３）を設けた第２軒先板枠（６１）を取付け、該軒先板枠に屋根板（２）の軒側係合部（５）を連結し、該屋根板の棟側連結部（１０）に複数の足高吊子片（２５）の棟受部（３０）をそれぞれ連結すると共に、足高吊子片（２５）の基部（２８）を野地板（Ｔ）にそれぞれ固着し、次の屋根板（２ｂ）の軒側を前記足高吊子片（２５）に係止した屋根板（２ａ）の棟側に連結して棟側方向に順次連結し、棟付近に位置した屋根板（２ｅ）の棟側を、前記棟枠固定片（２１）の棟止部（２３）内に止めてから棟枠固定片（２１）をそれぞれ棟に取付け、該棟枠固定片に前記換気棟枠（１６）を被せて嵌合固着して屋根葺をすることにより、各屋根板（２）と野地板（Ｔ）との間に連続して空間部（Ｘ）を形成し、外気温度の変化、例えば摂氏１７度以上になると第２軒先板枠（６１）の通気口（６６ｂ）に取付けた第４換気装置（１０３）の開閉板（１０４）が変形して通気口（６６ｂ）を開口し、該通気口から進入した外気は空間部（Ｘ）から換気棟枠（１６）の排気路（Ｗ）を通って大気中に排出可能に形成し、また摂氏７度以下になると開閉板（１０４）が元の形態に戻って通気口（６６ｂ）を閉口可能に形成したことを特徴とする換気機能を備えた横葺屋根装置。
【発明の詳細な説明】
【技術分野】
【０００１】
本発明は、外気温度の変化によって屋根板材の裏側に外気を流通させて換気させる機能を有する屋根装置に関するものである。
【背景技術】
【０００２】
従来、一般住宅の屋根材は瓦またはスレート板、工場や体育館等の大型屋根はスレ−ト瓦や金属性のいわゆるトタン板などを用いて屋根葺きが行っているが、昨今は軽量で丈夫な金属製の亜鉛メッキ板やカラー鉄板などからなる屋根板を用いて屋根葺きが行われている。
【０００３】
屋根葺は、屋根構造材である梁の上に取付けた垂木に、野地板を敷き、該野地板の上に断熱シートや防止シートを張り、該シートの上面に複数の屋根板材を複数の吊子を介して軒側から棟方向に順に固定しながら接続して行っている。
【０００４】
金属製板材からなる屋根板は、板厚が薄いことから屋根葺を行う場合、屋根葺作業や屋根板点検などで屋根に乗ると、重さで屋根板が変形しやすいため屋根板を直接野地板に固定している。そのため、屋根板と野地板との間に空気層を設けて屋根葺を行うことができなかった。したがって、夏季などの高温時期における屋根板の裏側に溜った熱せられた高温の空気が屋内側に伝わるため、屋内は必然的にエアコンが必要であった。
【０００５】
さらに、野地板と屋根板との間に隙間を設けて外気を流通させる屋根装置もあるが、その構造は野地板を二重に形成し、下側野地板と上側野地板との間に隙間を設けて屋根葺を行って空気を流通させることにより、屋根の裏側に熱がこもるのを防止しているものが知られている（例えば、特許文献１参照）。
【先行技術文献】
【特許文献】
【０００６】
【特許文献１】特開平５−１２５７７３号
【発明の概要】
【発明が解決しようとする課題】
【０００７】
前記のように従来の金属製屋根板は、直接野地板に一端を固着して形成してあるため、昼夜または季節による温度変化により屋根板が伸縮したり、結露しやすく、また、屋根板の裏側に空気を流通させることができないため、屋根の裏側に溜った空気は高温となりやすいという問題点を有していた。さらには、前記特許文献の発明は、野地板を二重に形成して空気の流通路を設ける必要が有り、そのため屋根が重くなり危険であると共に、屋根葺のコストが高く不経済であるなどの問題点を有している。本発明は、屋根葺に使用する屋根板材を軽量で、且つ頑丈なアルミ押出成形で形成したことにより、屋根板と野地板との間に空気を流通する空間を設けて換気をできるようにし、また、冬季などの気温が下がる時期は、屋根裏の暖気を逃がさないようにすることを目的とするものである。
【課題を解決するための手段】
【０００８】
請求項１の発明は、裏面に断熱シート４を取付けた平坦部３の軒側端部を下方に折曲げて軒側係合部５を形成し、前記平坦部３の棟側端部を上方に折り曲げて棟側連結部１０をそれぞれ一体に形成したアルミ押出成形材からなる屋根板２と、中央を山形に形成した棟部１７の両側に設けた壁面板１８の下端を内側に折り返して設けた係止受部１９に、屋根の棟部分に一定間隔で複数取付ける棟枠固定片２１の両側に左右対称に形成した門形の棟止部２３の両側に設けた掛止部２４を嵌合固着したアルミ押出形成材からなる換気棟枠１６と、座部２６の両端を垂下して設けた脚部２７の下端を折曲げて基部２８形成し、前記座部２６の棟側に設けた立上部２９の上方を軒側に鉤形に折り曲げて棟受部３０を形成し、前記座部２６の軒側先端に屋根板２の棟側下端を係止させる屋根受部３１を設けたアルミ押出成形材からなる複数の足高吊子片２５と、板状に形成した軒先基板３４の軒側に外側板部３５と内側板部３６を並行に垂下させ、前記外側板部３５と内側板部３６との間に設けた外気取入部３７の長尺な幅方向に複数の通気口３８を形成し、該通気口３８の下面に防虫網Ｍを取付け、前記外気取入部３７の上面短尺方向に鉤形の保持爪部４１を対向して形成し、該保持爪部に前記通気口３８と合致する位置にそれぞれ換気口４３を設けたスライド板４２を摺動可能に取付けて形成したアルミ押出成形材からなる軒先板枠３３と、外気温度の変化により作用する形状記憶合金製の変位ばね５２、８５、９６を内蔵した換気装置５０、８０、９０を前記軒先板枠３３の外気取入部３７に取付け、該換気装置の可動軸５３、８２、９２と前記スライド板４２を連結し、前記変位ばね５２、８５、９６の伸縮により可動軸５３、８２、９２とスライド板４２を摺動させて通気口３８を開閉可能に形成してなり、軒先固定片Ｓに、前記換気装置５０、８０、９０を設けた軒先板枠３３を取付け、該軒先板枠に屋根板２ａの軒側を連結し、該屋根板の棟側に複数の足高吊子片２５をそれぞれ連結して基部２８を野地板Ｔにそれぞれ固着し、次の屋根板２ｂの軒側を前記足高吊子片２５に係止した屋根板２ａの棟側に連結する操作を繰返して棟側方向に順次連結し、棟付近に位置した屋根板２ｅの棟側を、前記棟枠固定片２１の棟止部２３内に止めてから棟枠固定片２１をそれぞれ棟に取付け、該棟枠固定片に前記換気棟枠１６を被せて嵌合固着して屋根葺をすることにより、各屋根板２と野地板Ｔとの間に連続して空間部Ｘを形成し、外気温度の変化により前記軒先板枠３３に取付けた換気装置５０、８０、９０が作用して通気口３８を開口させて外気を空間部Ｘから換気棟枠１６の排気路Ｗを通って大気中に排出させる流通路を設けたことを特徴とする。また、第１換気装置５０は、第１可動軸５３に形状記憶合金製の変位ばね５２を挿通して軸支した第１ばね受枠５１と第２可動軸５８に弾発ばね５７を挿通して軸支した第２ばね受枠５６とからなり、前記第１ばね受枠５１を第１軒先板枠３３に設けた外気取入部３７の一端に取付け、第２ばね受枠５６を外気取入部３７の他端に取付け、前記ばね受枠５１、５６にそれぞれ軸支した第１、２可動軸５３、５８に設けた連結頭部５４、５９を、前記スライド板４２の両端に取付けた連結片４５、４５にそれぞれ連結してなり、外気温度が所定温度以上になると前記変位ばね５２が伸びて第１可動軸５３とスライド板４２を第２ばね受枠５６方向に摺動させて換気口４３と通気口３８を合致させて開口し、外気温度が所定温度以下になると、前記変位ばね５２が収縮して弾発ばね５７の弾発力で第２可動軸５８とスライド板４２を第１ばね受枠５１方向に摺動させて前記通気口３８を閉口することを特徴とする。さらに、第２換気装置８０は、中央に仕切板８３を固着した可動軸８２の一方に形状記憶合金製の変位ばね８５を挿通し、他方に弾発ばね８６を挿通して軸受基枠８１に軸支して形成し、該第２換気装置を前記第１軒先板枠３３に設けた外気取入部３７の一端に固定し、軸受基枠８１の一端から突出させた可動軸８２の先端係止頭部８４を、スライド板４２の一端に設けた連結片４５に連結してなり、前記第２換気装置８０に取付けた変位ばね８５が所定の外気温度に達すると、変位ばね８５が伸びて可動軸８２とスライド板４２を弾発ばね８６方向に摺動させて換気口４３と通気口３８を合致させて開口し、外気温度が所定温度以下になると、変位ばね８５が収縮して弾発ばね８６の弾発力で可動軸８２とスライド板４２を変位ばね８５方向に摺動して通気口３８を閉口可能に形成したことを特徴とする。さらにはまた、第３換気装置９０は、ばね受基枠９１の中央に摺動可能に位置した可動軸９２の一側に位置した形状記憶合金製の変位ばね９６の一端を、前記可動軸９２の長手方向一端に設けた第１ばね止部９５ａに取付け、他端を前記ばね受基枠９１の反対側に設けた係止ピン９８ａに取付けて付勢させ、前記可動軸９２の反対側に位置した弾発ばね９７の一端を、前記第１ばね止部９５ａと反対側に設けた第２ばね止部９５ｂに取付け、他端を前記ばね受基枠９１の反対側に軸支した係止ピン９８ｂに取付けて弾発させて形成し、前記ばね受基枠９１を外気取入部３７の上面任意箇所に取付けると共に、前記可動軸９２の下面中央で垂直方向に設けた連結軸９４を前記スライド板４２に連結してなり、前記第３換気装置９０を構成する変位ばね９６が所定の外気温度以上になって伸びると、連結軸９４を介して可動軸９２とスライド板４２が摺動して換気口４３と通気口３８とを合致させて開口し、外気温度が所定温度以下になると、変位ばね９６が収縮し、弾発ばね９７の弾発力により連結軸９４を介して可動軸９２とスライド板４２が反対方向に摺動して通気口３８を閉口可能に形成したことを特徴とする。また、水平に形成した軒先基板６２の軒側に外側板部６３と内側板部６４を並行に垂下させ、前記外側板部６３と内側板部６４との間に設けた外気取入部６５の幅方向に短冊状に形成した複数の通気口６６ａと複数のガイド孔６９ａ、６９ｂを幅方向に形成し、前記通気口６６ａと合致する位置にそれぞれ換気口７１を有した幅方向を長尺にした第２スライド板７０を前記外気取入部６５の下面側に摺動可能に取付け、前記ガイド孔６９ｂに吊下軸７８の上端を挿通係止し、下端を第２スライド板７０に軸支して形成したアルミ押出成形材からなる第２軒先板枠６１と、前記第２軒先板枠６１の外気取入部６５の一端に前記第２換気装置８０を固定し、該第２換気装置の軸受基枠８１の一端から突出させた可動軸８２の係止頭部８４と連結させた連結片７３と前記外気取入部６５の下面に位置した第２スライド板７０の一端とをガイド孔６９ａを介して連結軸７７で連結してなり、前記第２換気装置８０に取付けた変位ばね８５が所定の外気温度に達すると、変位ばね８５が伸びて弾発ばね８６方向に摺動して可動軸８２の先端に取付けた連結片７３を介して第２スライド板７０を摺動させて換気口７１と通気口６６ａを合致させて開口し、外気温度が所定温度以下になると、変位ばね８５が収縮して弾発ばね８６の弾発力で可動軸８２を変位ばね８５方向に摺動させると、連結片７３が第２スライド板７０を摺動させて通気口６６ａを閉口可能に形成したことを特徴とする。さらには、前記換気装置５０、８０、９０を構成する形状記憶合金製の変位ばね５２、８５、９６がそれぞれ作用する外気温度は、好ましくは、摂氏１７度以上で伸び、摂氏７度以下で収縮可能に形成してなることを特徴とする。
【０００９】
したがって、屋根板２と、複数の足高吊子２５と、棟に取付ける換気棟枠１６と、通気口３８、６６を有したスライド板４２、７０を作動させる第１、２、３換気装置５０、８０、９０をそれぞれ取付けた軒先板枠３３、６１を使用して屋根葺を行うことにより、屋根板２と野地板Ｔとの間に空間部Ｘを形成することができ、気温が高くなると前記軒先板枠３３、６１に取付けた換気装置５０、８０、９０が温度を感知して通気口３８、６６を開口し、外気を通気口から屋根板２の裏側空間部Ｘに流通させて換気棟枠１６の排気路Ｗから外部に排出させる流通路を形成して循環させることにより、屋根板の裏側温度を下げることができ、また、冬季は軒先板枠３３、６１の通気口３８、６６を換気装置５０、８０、９０で閉口することにより、屋根板裏側の暖気が逃げるのを防止し、室内の温度が下がるのを防止することができるので、エアコンの設定温度を低くすることができるので、エネルギー消費を減少することができ大変経済的である。また、本発明は上記作用を有することから、外気温度が高い、例えば沖縄のような地域、または外気温度が低い、例えば北海道のような地域でも、同じ屋根装置をそのまま使用することができるので、量産効果によるコストダウンを図ることができる効果を有する。
【００１０】
請求項７の発明は、裏面に断熱シート４を取付けた平坦部３の軒側端部を下方に折曲げて軒側係合部５と前記平坦部３の棟側端部を上方に折り曲げて棟側連結部１０を一体に設けたアルミ押出成形材からなる屋根板２と、中央を山形に形成した棟部１７の両側に設けた壁面板１８の下端を内側に折り返して設けた係止受部１９に、屋根の棟部分に一定間隔で複数取付ける棟枠固定片２１の両側で左右対称に形成した門形の棟止部２３の両側に設けた掛止部２４を嵌合固着したアルミ押出形成材からなる換気棟枠１６と、座部２６の両端を垂下して設けた脚部２７の下端を折曲げて基部２８を形成し、前記座部２６の棟側に設けた立上部２９の上方を軒側に鉤形に折曲げて棟受部３０を形成し、前記座部２６の軒側先端に屋根板２の棟側下端を係止させる屋根受部３１を設けたアルミ押出成形材からなる複数の足高吊子片２５と、板状に形成した軒先基板６２の軒側に外側板部６３と内側板部６４を並行に垂下させ、前記外側板部６３と内側板部６４との間に設けた外気取入部６５の幅方向に複数の通気口６６ｂを設け、該通気口の下面に防虫網Ｍを取付けたアルミ押出成形材からなる第２軒先板枠６１と、前記第２軒先板枠６１の各通気口６６ｂに所定の外気温度で変形する、例えば形状記憶合金製の板材により形成した開閉板１０４の長手方向または短尺方向の縁部をビス、ねじまたは溶接などの固定具１０５で固着した第４換気装置１０３をそれぞれ取付けてなり、軒先固定片Ｓに前記第４換気装置１０３を設けた第２軒先板枠６１を取付け、該軒先板枠に、屋根板２の軒側係合部５を連結し、該屋根板２の棟側連結部１０に複数の足高吊子片２５の棟受部３０をそれぞれ連結すると共に、足高吊子片２５の基部２８を野地板Ｔにそれぞれ固着し、次の屋根板２ｂの軒側を前記足高吊子片２５に係止した屋根板２ａの棟側に連結して棟側方向に順次連結し、棟付近に位置した屋根板２ｅの棟側を、前記棟枠固定片２１の棟止部２３内に止めてから棟枠固定片２１をそれぞれ棟に取付け、該棟枠固定片に前記換気棟枠１６を被せて嵌合固着して屋根葺をすることにより、各屋根板２と野地板Ｔとの間に連続して空間部Ｘを形成し、外気温度の変化、例えば摂氏１７度以上になると第２軒先板枠６１の通気口６６ｂに取付けた第４換気装置１０３の開閉板１０４が変形して通気口６６ｂを開口し、該通気口から進入した外気は空間部Ｘから換気棟枠１６の排気路Ｗを通って大気中に排出して循環可能に形成し、また摂氏７度以下になると開閉板１０４が元の形態に戻って通気口６６ｂを閉口可能に形成したことを特徴とする。
【００１１】
したがって、屋根葺を部品数が少なく安価な第４換気装置１０３を取付けた第２軒先板枠６１と、複数の屋根板２と、複数の足高吊子２５と、棟に取付ける換気棟枠１６とを使用して行うことにより、屋根板２と野地板Ｔとの間に空間部Ｘを形成し、気温が高くなると第２軒先板枠６１に取付けた第４換気装置１０３が温度を感知して通気口６６ｂを開口し、外気を通気口６６ｂから屋根板２の裏側空間部Ｘに流通させて換気棟枠１６から外部に排気させる流通路を形成することにより、屋根板裏側に空気を循環させて温度を下げることができ、また、気温が下がる冬季は第２軒先板枠６１の通気口６６ｂを第４換気装置１０３で閉口して屋根板裏側の暖気が逃げるのを防止することにより、室内の温度が下がるのを防止することができるので、エアコンの温度設定を低くすることができ、エネルギー消費の減少を図ることができ大変経済的である。
【図面の簡単な説明】
【００１２】
【図１】野地板に装着した屋根装置の空気流通路を示す一部省略した説明図である。
【図２】屋根板の端面図である。
【図３】棟固定片に取付けた換気棟枠の断面図である。
【図４】足高吊子の端面図である。
【図５】第１スライド板を取付けた第１軒先板枠の断面図である。
【図６】第１軒先板枠の外気取入部に第１換気装置を取付けた状態の一部破断した平面図である。
【図７】第１換気装置を取付けた第１軒先板枠の通気口を閉口した状態を示す一部破断した断面図である。
【図８】第１換気装置を構成する第１ばね受枠の要部拡大断面図である。
【図９】第１軒先板枠を使用して屋根葺をした屋根の裏側に空気流路を形成した状態を示す要部拡大断面図である。
【図１０】棟に取付けた換気棟枠の空気流路を示す要部拡大断面図である。
【図１１】第２換気装置を取付けた第１軒先板枠の通気口の開口状態を示す一部破断した断面図である。
【図１２】第２換気装置を取付けた第１軒先板枠の通気口の閉口状態を示す一部破断した断面図である。
【図１３】第２換気装置の要部拡大断面図である。
【図１４】第３換気装置を取付けた第１軒先板枠の通気口の閉口状態を示す一部破断した平面図である。
【図１５】第３換気装置の中央拡大横断面図である。
【図１６】第３換気装置の中央拡大縦断面図である。
【図１７】第２スライド板を取付けた第２軒先板枠の外気取入部に第２換気装置を取付けた状態の断面図である。
【図１８】第２軒先板枠の外気取入部に第２換気装置を取付けた状態を示す一部破断した平面図である。
【図１９】第２軒先板枠に第２換気装置を取付けた状態の要部拡大平面図である。
【図２０】第２軒先板枠に取付けた第２換気装置の要部拡大断面図である。
【図２１】第２軒先板枠を使用して屋根葺をした屋根の裏側に空気流路を形成した状態の要部拡大断面図である。
【図２２】第２軒先板枠に第４換気装置の第１次実施例を示す一部破断した平面図である。
【図２３】第２軒先板枠に第４換気装置の第２次実施例を示す一部破断した平面図である。
【発明を実施するための形態】
【００１３】
以下、本発明の実施の形態を図面により説明すると、図１は野地板に装着した屋根装置の空気流通路を示す一部省略した説明図、図２は屋根板の端面図、図３は棟固定片に取付けた換気棟枠の断面図、図４は足高吊子の端面図、図５は第１スライド板を取付けた第１軒先板枠の断面図、図６は第１軒先板枠の外気取入部に第１換気装置を取付けた状態の一部破断した平面図、図７は第１換気装置を取付けた第１軒先板枠の通気口を閉口した状態を示す一部破断した断面図、図８は第１換気装置を構成する第１ばね受枠の要部拡大断面図である。屋根装置１は、屋根基枠を構成する垂木の上面に野地板Ｔを敷設し、該野地板の上面に防水シ−トＵを取付けた上面に複数の屋根板２と、屋根の棟部分に取付ける換気棟枠１６と、前記屋根板２を野地板に固定する複数の足高吊子２５と、屋根の勾配下端（軒先固定片Ｓ）に取付ける第１軒先板枠３３とで構成されている。
【００１４】
屋根板２は、図２に示すごとく、アルミ合金材を押出成形して同一断面形状に形成し、幅方向を長尺に形成した平坦部３の裏面全体に断熱シート４を取付け、前記平坦部３の軒側端部を下方に折曲げて形成した軒側係合部５と、前記平坦部３の棟側端部を上方に折り曲げて形成した棟側連結部１０を一体に形成してある。
【００１５】
前記屋根板２の軒側に設けた軒側係合部５は、軒側の先端を下方に折曲げて前面部６を形成し、該前面部の下端を棟側に折り返して形成した水平部７の先端を斜上方に傾斜させて挿入部８を連続して形成してある。
【００１６】
前記棟側連結部１０は、上方に折曲げた立上部１１の先端を棟側に折り曲げて水平部１２を形成し、該水平部の端部を上方に垂直に折曲げた垂直部１５の上方を軒側に湾曲して折り返して係合凹部１３を設け、該係合凹部の先端に係止部１４を連続して設けてある。
【００１７】
前記軒側係合部５は、他の屋根板２ｂの棟側連結部１０ｂと嵌合したり、前記軒先板枠３３の係止受部３９と嵌合可能に形成し、棟側連結部１０は、野地板Ｔに固定するための足高吊子２５の棟受部３０と嵌合可能に形成してある。
【００１８】
前記換気棟枠１６は、図３に示すごとく、アルミ合金材を押出成形して同一断面形状に形成し、中央に設けた山形の棟板１７の両側に垂直な壁面部１８を形成し、この壁面部１８の下端を内側に折曲げて係止受部１９を設けてある。この壁面部１８には屋根裏を流通した空気を外部に排気する通気口（図示せず）を複数設けたり、または、前記壁面部１８の外側に、屋根材２ｅと換気棟部１６との隙間を調節する調整板Ｙを上下動可能に取付けてもよい
図１０）。
【００１９】
２１は棟枠固定片で、図３に示すごとく、アルミ合金材を押出成形して同一断面形状に形成して幅方向を短尺にしてなり、中央に位置した固定部２２の左右両側に山形状の棟止部２３を形成し、前記棟枠固定片２１の外側に前記換気棟枠１６の壁面板１８に設けた係止受部１９に係合する掛止部２４を設けてある。
【００２０】
前記換気棟枠１６を棟に取付ける場合、棟の長手方向に複数の棟枠固定片２１を固定し、該棟枠固定片の上方から長尺な換気棟枠１６を被せ、係止受部１９に掛止部２４を嵌合して固着し、屋根板２の裏面を上昇する外気は換気棟枠１６の壁面部１８の下側に設けた排気路Ｗから外部に排気させることができる（図１０）。
【００２１】
２５は足高吊子片で、図４に示すごとく、アルミ合金材を押出成形して同一断面形状で幅方向を短尺に形成され、中央に設けた座部２６の両端を垂下して設けた脚部２７の下端を折り曲げて前記野地板Ｔに取付ける基部２８を形成し、前記座部２６の棟側上方に設けた立上部２９の上方を鉤形に折り曲げて棟受部３０を形成し、前記座部２６の軒側先端に屋根受部３１を設けてある。したがって、この足高吊子片２５を使用して屋根葺をすると、野地板Ｔと屋根板２との間に脚部２７の長さ分の空間部Ｘ（図９）を形成することができる。
【００２２】
３３は第１軒先板枠で、図５に示すごとく、アルミ合金材を押出成形により同一断面形状に形成し、扁平に形成した軒先基板３４の軒側に外側板部３５とやや長く形成した内側板部３６を並行に垂下させ、前記外側板部３５の上方に前記屋根板２の軒側係合部５と係合する係止受部３９と水平な軒先受部４０を設けて形成してある。
【００２３】
３７は前記外側板部３５と内側板部３６との間に水平方向に設けた外気取入部で、該外気取入部の長尺な幅方向にそれぞれ短冊状に形成した複数の通気口３８を形成し、該通気口を挟んだ外気取入部３７の短尺方向に対向させて鉤形の保持爪部４１を設け、該保持爪部の間に前記通気口３８と合致する位置にそれぞれ換気口４３を有した長尺な第１スライド板４２を摺動可能に取付けてある。前記外気取入部３７の上面には、外気温度の変化によって前記第１スライド板４２を操作して通気口３８を開閉させる第１換気装置５０を取付けてある。前記外気取入部３７の通気口３８には、外部から屋根裏に虫が入るのを防止する防虫網Ｍを取付け可能に形成してある。
【００２４】
図６、７、８は、屋根装置の第１の実施の形態で、前記第１軒先板枠３３に第１換気装置５０を取付けて形成したもので、第１換気装置５０は、一対の第１、２ばね受枠５１、５６と、該ばね受枠内に挿通して軸支する一対の第１、２可動軸５３、５８と、一方の第１ばね受枠５１に収容する形状記憶合金製の変位ばね５２と、他方の第２ばね受枠５６に収容する金属製の弾発ばね５７とからなり、前記外気取入部３７の上面一端に第１ばね受枠５１を取付け、外気取入部３７の他端に第２ばね受枠５６を位置し、該ばね受枠の第１、２可動軸５３、５８を互いに向き合わせて同一軸心上に位置させると共に、該第１、２可動軸の先端にそれぞれ形成した連結頭部５４、５９をスライド板４２の両端に取付けた連結片４５、４５の嵌合凹部４６、４６に嵌合させて連結してある。
【００２５】
前記第１可動軸５３に挿通した変位ばね５２は、一端を第１ばね受枠５１の内壁に当接し、他端を第１可動軸５３に軸支したばね止部５５に当接させて取付けることにより、変位ばね５２が伸びてばね止部５５を付勢することにより、第１可動軸５３を軸心方向に摺動可能に取付けてある(図６)。
【００２６】
前記第２可動軸５８に挿通した弾発ばね５７は、一端を第２ばね受枠５６の内壁に当接し、他端を第２可動軸５８に軸支したばね止部６０に当接させることにより、変位ばね５２が収縮して弾発力が弱くなると、弾発ばね５７の弾発力が勝り、第２可動軸５８を第１可動軸５３方向に付勢可能に取付けてある(図７)。
【００２７】
前記第１換気装置５０を構成する変位ばね５２は、例えば、ニッケルやチタンなどの金属材により形成した形状記憶合金をコイル状に形成してなり、所定の外気温度、好ましくは、摂氏１７度以上で伸びて第１可動軸５３の先端に連結してあるスライド板４２が弾発ばね５７方向に移動して換気口４３と通気口３８を合致させて開口し、該通気口から外気を屋根裏の空間部Ｘに進入させることができる（図８）。
【００２８】
また、外気温度が所定温度以下、好ましくは摂氏７度以下になると、前記変位ばね５２が収縮し、第２可動軸５８のばね止部６０を弾発ばね５７の弾発力が勝るとスライド板４２を変位ばね５２方向に摺動させて、前記通気口３８を閉口することができる（図７）。
【００２９】
第１軒先板枠３３に取付けた第１換気装置５０が作動して通気口３８を開口させると屋根裏の空間部Ｘに外気が進入し、外気はさらに棟方向に上昇して換気棟枠１６の排気路Ｗから大気中に排出されて空気を循環させることができる（図９、１０）。したがって、夏季などの屋根裏に溜った空気が熱せられて高温になると、室内温度が上昇することから、本願の第１軒先板枠３３に取付けた第１換気装置５０が作動して通気口３８を開口すると、外部の新しい冷えた空気が流入して空間部Ｘを流通して上昇させて換気棟枠１６の排気路Ｗから排気させて循環することにより、屋根裏の温度を外気温度に比して１０度以上下げることができる。このことは別紙資料に示す「品質性能試験報告書」財団法人建材試験センターの実験データからも明らかである。
【００３０】
図１１〜１３は、屋根装置の第２の実施の形態で、前記第１軒先板枠３３に第２換気装置８０を取付けて形成したもので、第２換気装置８０は、軸受基枠８１に軸支した可動軸８２の中央に仕切板８３を固着し、該可動軸の一方に形状記憶合金製の変位ばね８５を挿通し、他方に金属製の弾発ばね８６を挿通し、前記軸受基枠８１の一端から突出した可動軸８２の先端に異径の係止頭部８４を設けて形成してある。
【００３１】
この第２換気装置８０を前記第１軒先板枠３３に設けた外気取入部３７の上面一側に位置させ、スライド板４２の一端に設けた連結片４５の嵌合凹部４６に第２換気装置８０の可動軸８２の先端に設けた係止頭部８４を嵌合連結して形成してある（図１３）。
【００３２】
この第２換気装置８０は、変位ばね８５と弾発ばね８６を仕切板８３を介して一本の可動軸８２に挿通して軸受基枠８１に軸支してコンパクトに形成してあるため、設置スペースを小さくすることができ、外気取入部３７の左右いずれか一方に取付けてスライド板４２を作動させることができるので、外気取入部３７のデッドスペースが少なくて済み、多くの通気口を形成することができる。また取付け作業も一回で済み作業の効率化を図ることができる。
【００３３】
第１軒先板枠３３に設けた通気口３８の開閉は、所定の外気温度（摂氏１７度以上）に達すると、第２換気装置８０に取付けた変位ばね８５が弾発ばね８６の弾発力に抗して伸びて仕切板８３を介して可動軸８２とスライド板４２を弾発ばね８６方向に摺動させて換気口４３と通気口３８を合致させて開口する。
【００３４】
外気温度が所定温度（摂氏７度以下）になると、第２換気装置８０の変位ばね８５が収縮し、弾発ばね８６の弾発力で仕切板８３を介して可動軸８２とスライド板４２を変位ばね８５方向に摺動させて通気口３８を閉口する。
【００３５】
前記第２換気装置８０を構成する変位ばね８５は、前記第１換気装置５０を構成する変位ばね５２と同じ形状記憶合金材で形成され、同じ外気温度で作用することから、ここでの説明を省略する。
【００３６】
図１４、１５、１６は屋根装置の第３の実施の形態で、前記第１軒先板枠３３に第３換気装置９０を取付けて形成したもので、第３換気装置９０は、ばね受基枠９１の中央に可動軸９２を位置させ、該可動軸の上下両面に設けたガイドピン９３をばね受基枠９１の上下両面に設けたガイド溝９１ａに挿通して可動軸９２を摺動可能に取付け、さらに可動軸９２の軸心方向の両端に設けたばね止部９５ａ、９５ｂを互いに反対向きの直角方向に設けてある。
【００３７】
前記可動軸９２の一側で並行に位置した形状記憶合金製の変位ばね９６の一端を、一方のばね止部９５ａに取付け、他端を前記ばね受基枠９１の反対側に設けた係止ピン９８ａに取付け、前記可動軸９２の他側で並行に位置した金属製の弾発ばね９７の一端を他方のばね止部９５ｂに取付け、他端を前記ばね受基枠９１の反対側に設けた係止ピン９８ｂに取付けて形成し、前記可動軸９２の下面中央で直角方向に取付けた連結軸９４の先端をガイド溝９９を介して第１スライド板４２に連結してある（図１４）。
【００３８】
第３換気装置９０の第１軒先板枠３３への取付けは、ばね受基枠９１の下面を外気取入部３７の上面に設けた保持爪部４１上の任意箇所に位置し、一側面を軒先基板３４と外側板部３６とが交差する壁面の任意箇所に取付け、可動軸９２の下面中央で直角方向に設けた連結軸９４の先端を、前記スライド板４２の任意箇所（例えば、スライド板の中央）に連結して形成する。したがって、第１軒先板枠３３の外気取入部３７の両側または片側に第３換気装置を取付けるためのスペースを必要としないため、外気取入部３７に多くの通気口を形成することができる（図１５）。
【００３９】
前記変位ばね９６は、所定の外気温度以上になると、弾発ばね９７の弾発力に抗して伸びて可動片９２と連結したスライド板４２を摺動させて換気口４３と通気口３８とを合致させて開口し、外気温度が所定温度以下になると、変位ばね９６が収縮して弾発ばね９７の弾発力により可動軸９２とスライド板４２が摺動して通気口３８を閉口可能に形成してある。前記した第３換気装置９０を構成する変位ばね９６は、前記第１換気装置５０を構成する変位ばね５２と同じ形状記憶合金材で形成されているため、同じ外気温度で作用することから、ここでの説明を省略する。
【００４０】
図１７は軒先板枠の第２の実施の形態を示す第２軒先板枠６１で、アルミ合金材を押出成形により同一断面形状に形成してなり、平坦に形成した軒先基板６２の軒側に、外側板部６３と内側板部６４を並行に垂下させ、前記外側板部６３の上方に前記屋根板２の軒側係合部５と係合する屋根板受部６７と水平方向に軒先受部６８を連設し、前記外側板部６３と内側板部６４との間の水平方向に外気取入部６５を設け、該外気取入部の幅方向にそれぞれ細幅で短冊状に形成した複数の通気口６６ａと複数のガイド孔６９ａ、６９ｂを設けてなり、外気取入部６５の下面で各通気口６６ａと合致する位置に換気口７１を有した断面門型の第２スライド板７０を位置し、該第２スライド板を外気取入部６５の中央と一端に設けたガイド孔６９ｂに一端を挿通した吊下軸７８の下端を第２スライド板７０に取付けて摺動可能に懸架してある。前記外気取入部６５の通気口６６ａには、外部から屋根裏に虫が入るのを防止する防虫網Ｍを取付け可能に形成してある。
【００４１】
図１８、１９、２０は屋根装置の第４の実施の形態で、前記第２軒先板枠６１の外気取入部６５の一端に前記第２換気装置８０を取付けて形成したもので、前記第２スライド板７０の一端に連結軸７７で固定した連結片７３を前記外気取入部６５に設けたガイド孔６９ａに挿通し、該連結片７３の係止溝部７５に前記軸受基枠８１の一端から突出させた可動軸８２の係止頭部８４を嵌合して連結してある。
【００４２】
前記第２換気装置８０に取付けた変位ばね８５が所定の外気温度に達すると、変位ばね８５が伸びて弾発ばね８６方向に摺動すると、可動軸８２の先端に連結した連結片７３の連結軸７７で第２スライド板７０を摺動させて換気口７１と通気口６６ａを合致させて開口し、外気温度が所定温度以下になると、変位ばね８５が収縮して弾発ばね８６の弾発力で可動軸８２が変位ばね８５方向に摺動すると、連結片７３が第２スライド板７０を摺動させて通気口６６ａを閉口可能に形成してある。
【００４３】
図２２、２３は屋根装置１の第５の実施の形態を示すもので、前記第２軒先板枠６１の外気取入部６５に設けた横長に形成した複数の通気口６６ｂにそれぞれ第４換気装置１０３を取付けてなり、前記第４換気装置１０３は、形状記憶合金材、例えば、ニッケルやチタンの合金を板状に形成した複数の開閉板１０４と、該開閉板を前記外気取入部６５の通気口６６に固定する固定具１０５とからなり、前記開閉板１０４の長手方向の縁部または短尺方向の縁部をビス、ねじまたは溶接などの固定具１０５で外気取入部６５に設けた通気口６６を開閉可能に取付けてある。
【００４４】
この第４換気装置１０３を構成する形状記憶合金材からなる開閉板１０４は、所定の外気温度、例えば摂氏１７度以上になると変形して通気口６６ｂを開口し、摂氏７度以下になると閉じる方向に変形して通気口６６ｂを閉口可能に形成してある。
【００４５】
第２軒先板枠６１に取付けた第４換気装置１０３は、開閉板１０４と固定具１０５だけの少ない部品数と簡単な構造であるため、コストが安価で経済的である。また、第４換気装置１０３を取付けた第２軒先板枠６１を使用した屋根装置１は、夏季などの気温が上昇すると、第４換気装置１０３が所定の温度を感知して開閉板１０４が上方に反るように変形して通気口６６ｂを開口させることにより外気を内部に進入させることができる。
【００４６】
前記第２軒先板枠６１を使用して屋根葺した屋根は、第２軒先板枠６１の通気口６６ｂから屋根の裏側に形成した空間部Ｘに外気が進入すると、外気は棟方向に上昇して換気棟枠１６の排気路Ｗから大気中に排出して循環する。そのため、屋根裏の空間部Ｘに常に新しい空気が流入し、屋根裏の温度を外気温度に比して１０度以上低くすることができる。このことは別紙資料に示す「品質性能試験報告書」財団法人建材試験センターの実験データからも明らかである。したがって、室内のエアコンの温度設定を低く設定することができ、エネルギー消費を少なくすることができ大変経済的である。
【００４７】
以下、本発明の実施の形態の作用について説明すると、第１、第２または第３換気装置５０、８０、９０を取付けた第１軒先板枠３３を使用した屋根装置１は、図１、９及び図１０に示すごとく、軒先固定片Ｓに第１軒先板枠３３の軒先基板３４を取付け、該第１軒先板枠の係止受部３９と、屋根板２ａの軒側係合部５ａを掛止させ、次いで、軒側係合部５ａに設けた挿入部８ａを係止受部３９の内側に係止させてから屋根板２ａの棟側を野地板Ｔ方向に下ろすと水平部７ａが軒先受部４０の上面に接合して係止する。
【００４８】
屋根板２ａの棟側連結部１０ａは、棟側に設けた挿入部１４ａと、足高吊子片２５の棟受部３０とを掛止して足高吊子片２５の立上部２９の内側と、棟側連結部１０ａの垂直部１５ａの外側とを合致させてから基部２８を野地板Ｔに固定する。前記屋根板２ａは、脚部２７を有した足高吊子片２５で野地板Ｔに固定することにより、屋根板２の棟側下辺が直接野地板と接触することなく、屋根板２と野地板Ｔとの間に空間部Ｘを設けて固定することができる。
【００４９】
前記屋根材２ａの棟側連結部１０ａを足高吊子片２５で固定した後、棟側に次の屋根板２ｂの軒側係合部５ｂの挿入部８ｂを、屋根材２ａの棟側連結部１０ａに設けた係合凹部１３ａに挿入して屋根板２ｂを野地板Ｔ方向に下ろして水平部７ｂの下面と、屋根板２ａの棟側連結部１０ａの水平部１２ａの上面に載置されて係止する。
【００５０】
さらに屋根板２ｂの棟側連結部１０ｂに足高吊子片２５を前記したごとく連結して野地板Ｔに固定して接続する。この作業を繰り返すことにより屋根材２を換気棟部１６方向に順に接続して屋根葺を行う。棟部分は図１０に示すごとく、屋根板２ｅの棟側連結部１０ｅを棟止吊子片Ｌに係止し、この棟止吊子片Ｌを棟固定片２１の棟止部２３の内側に被せて取付け、前記棟固定片２１の両側に設けた掛止部２４と、換気棟枠１６の両側に夫々設けた壁面部１８の係止受部１９を係止して固着することにより屋根葺を行うものである。
【００５１】
屋根装置１に使用する屋根板材を軽量で頑丈なアルミ押出成形材により形成したことにより、足高吊子２５を使用して野地板Ｔと屋根板２との間に空間部Ｘを設けても、屋根板上を作業員が歩行しても屋根板が変形したり割れたりすることなく安心して屋根葺や保守点検をすることができる。
【００５２】
屋根板２と野地板Ｔとの間に空間部Ｘを設けたことにより、第１軒先板枠３３の通気口３８から流入した外気は、図１の矢印で示す如く屋根の傾斜に沿って上昇し、図１０に示す如く換気棟枠１６の排気路Ｗから屋外に排気されるので、屋根板裏側には常に新しい外気を循環させることができ、資料に示す如く、屋根板裏側の温度を通常の屋根板材で形成したのと比べて１０度以上下げることができる。したがって、室内のエアコンの温度設定を低く設定することができ、エネルギー消費を少なくすることができ大変経済的である。
【００５３】
さらには、屋根板の裏側に空間部Ｘを設けて外気を流通させて屋根板の裏側に空気が滞留するのを防止することにより、屋根板裏側の湿気を抑えて結露の発生を防止することができる。万一、結露した場合でも、空気が流通するので素早く乾燥させて結露を除去することができる。
【００５４】
冬季などの外気温度が摂氏７度以下に下がると、第１、２、３換気装置５０、８０、９０に取付けた変位ばね５２、８５、９６が収縮して可動軸５３、８２、９２が摺動すると、通気口３８と合致していた第１スライド板４２の換気口４３が通気口３８から外れて閉口することにより外気の進入を防止して屋根板２と野地板Ｔとの空間部Ｘ内に暖かい空気を溜めることができる断熱効果を有する。
【００５５】
第２軒先板枠６１は、外気取入部６５の下面に第２スライド板７０を摺動可能に取付け、第２換気装置８０を外気取入部６５の一端に取付けて可動軸と第２スライド板７０の連結片７３を連結するだけの簡単な作業で取付けることができ、また部品数も少ないことからコストが安価で経済的である。
また、夏季などの屋根裏が高温になった場合、第２換気装置８０に取付けた変位ばね８５が所定の外気温度（摂氏１７度以上）に達すると、変位ばね８５の弾発力が弾発ばね８６の弾発力に抗して伸びると可動軸８２と第２スライド板７０を摺動させて換気口７１と通気口６６ａを合致させて開口する。
【００５６】
外気温度が所定温度（摂氏７度以下）になると、第２換気装置８０の変位ばね８５が収縮し、弾発ばね８６の弾発力で仕切板８３を介して可動軸８２と第２スライド板７０を変位ばね８５方向に摺動させて通気口６６ａを閉口する。
【００５７】
第２軒先板枠６１に第４換気装置１０３を取付けた屋根装置は、形状記憶合金材により形成した開閉板１０４が、所定の温度を感知すると、上方に反って変形することにより通気口６６ｂを開口して外気を屋根裏側に進入させて循環させることにより屋根板裏側の温度を通常の屋根板材で形成したのと比べて１０度以上下げることができる。
【００５８】
したがって、室内に取付けたエアコンの設定温度を下げ、且つ、使用時間が少なくて済み消費電力を抑えることができるので大変経済的である。冬季などの外気温度が７度以下に下がると、第４換気装置１０４に取付けた開閉板１０５がもとの形にもどって通気口を閉口することにより外気の進入を防止して屋根板２と野地板Ｔとの空間部Ｘ内に暖かい空気を溜めることができる断熱効果を有する。
【００５９】
第２軒先板枠６１に取付けた第４換気装置１０３は、外気取入部６５の通気口６６ｂに開閉板１０４を固定具１０５でそれぞれ固定するだけの簡単な作業で取付けることができ、また部品数も少ないことからコストが安価で経済的である。
【符号の説明】
【００６０】
１      屋根装置
２      屋根板
３      平坦部
５      軒側係合部
１０    棟側連結部
１６    換気棟枠
１７    棟部
１８    壁面部
２１    棟枠固定片
２５    足高吊子片
３３    第１軒先板枠
３４    軒先基板
３５    外側板部
３６    内側板部
３７    外気取入部
３８    通気口
４２    第１スライド板
４３    換気口
４５    連結片
４６    嵌合凹部
５０    第１換気装置
５１    第１ばね受枠
５２    変位ばね
５３    第１可動軸
５４    連結頭部
５６    第２ばね受枠
５７    弾発ばね
５８    第２可動軸
５９    連結頭部
６１    第２軒先板枠
６２    軒先基板
６３    外側板部
６４    内側板部
６５    外気取入部
６６    通気口
６９    ガイド孔
７０    第２スライド板
７１    換気口
７３    連結片
７７    連結軸
７８    吊下軸
８０    第２換気装置
８１    軸受基枠
８２    可動軸
８３    仕切板
８５    変位ばね
８６    弾発ばね
９０    第３換気装置
９１    ばね受基枠
９２    可動軸
９４    連結軸
９５    ばね止部
９６    変位ばね
９７    弾発ばね
９８    係止ピン
１０３  第４換気装置
１０４  開閉板
１０５  固定具
Ｌ      棟止吊子片
Ｍ      防虫網
Ｓ      軒先固定片
Ｔ      野地板
Ｕ      防水シート
Ｗ      排気路
Ｘ      空間部
Ｙ      調整板
【図１】
2013007153.tif 000003
【図２】
2013007153.tif 000004
【図３】
2013007153.tif 000005
【図４】
2013007153.tif 000006
【図５】
2013007153.tif 000007
【図６】
2013007153.tif 000008
【図７】
2013007153.tif 000009
【図８】
2013007153.tif 000010
【図９】
2013007153.tif 000011
【図１０】
2013007153.tif 000012
【図１１】
2013007153.tif 000013
【図１２】
2013007153.tif 000014
【図１３】
2013007153.tif 000015
【図１４】
2013007153.tif 000016
【図１５】
2013007153.tif 000017
【図１６】
2013007153.tif 000018
【図１７】
2013007153.tif 000019
【図１８】
2013007153.tif 000020
【図１９】
2013007153.tif 000021
【図２０】
2013007153.tif 000022
【図２１】
2013007153.tif 000023
【図２２】
2013007153.tif 000024
【図２３】
2013007153.tif 000025